(57)【要約】【課題】  複数の一体型橋梁を一つの橋台で受け持つ構造とし、一体型橋梁である利点を有するとともに、橋台が増える不利な点を克服した連続補強土一体橋梁を提供する。【解決手段】  支持地盤１上に配置される複数の橋台と橋桁を一体化した一体橋梁２と、この一体橋梁２の背面に配置される補強材３と、隣接する前記一体橋梁２間の中央部に配置される土もしくはセメント改良土からなるアプローチブロック４と、両端の前記一体橋梁２の背面に前記補強材３を介して構築される補強盛土５とを具備する。【選択図】  図１
2014020168.tif 000002
【特許請求の範囲】
【請求項１】
（ａ）支持地盤上に配置される複数の橋台と橋桁を一体化した一体橋梁と、
（ｂ）該一体橋梁の背面に配置される補強材と、
（ｃ）隣接する前記一体橋梁間の中央部に配置される土もしくはセメント改良土からなるアプローチブロックと、
（ｄ）両端の前記一体橋梁の背面に前記補強材を介して構築される補強盛土とを具備することを特徴とする連続補強土一体橋梁。
【請求項２】
請求項１記載の連続補強土一体橋梁において、前記複数の橋台と橋桁を一体化した一体橋梁を２個配置することを特徴とする連続補強土一体橋梁。
【請求項３】
請求項１記載の連続補強土一体橋梁において、前記複数の橋台と橋桁を一体化した一体橋梁を４個配置することを特徴とする連続補強土一体橋梁。
【請求項４】
請求項１記載の連続補強土一体橋梁において、前記アプローチブロックを両側の前記一体橋梁で共用することを特徴とする連続補強土一体橋梁。
【請求項５】
請求項１記載の連続補強土一体橋梁において、前記アプローチブロックが桁の伸縮に対応することを特徴とする連続補強土一体橋梁。
【請求項６】
請求項５記載の連続補強土一体橋梁において、前記アプローチブロックの桁の伸縮が普通の場合には前記補強材としての土のうを１つ配列することを特徴とする連続補強土一体橋梁。
【請求項７】
請求項５記載の連続補強土一体橋梁において、前記アプローチブロックの桁の伸縮が大きい場合には前記補強材としての土のうを２つ以上配列することを特徴とする連続補強土一体橋梁。
【請求項８】
請求項１記載の連続補強土一体橋梁において、前記一体橋梁の背面同士の締結を行うことを特徴とする連続補強土一体橋梁。
【発明の詳細な説明】
【技術分野】
【０００１】
本発明は、連続補強土一体橋梁に関するものである。
【背景技術】
【０００２】
図４は従来の桁式橋梁を示す模式図であり、支持地盤１０１には基礎杭１０３を有する橋台１０２が配置され、その上に橋桁１０４が配置されるようになっている。しかし、このような桁式橋梁では構築後においても、橋台１０２とその背面の盛土１０５との間に問題が生じやすい。特に、盛土１０５が沈下した場合には、橋台１０２との間に段差が生じて列車や自動車の走行安全性に支障を与える。
【０００３】
そこで、これを改善する基本技術である補強土一体橋梁については、本特許出願人が、図５に示すような、支持地盤２０１上に一体橋梁２０２を有し、この一体橋梁２０２の背後に補強盛土２０３が一体化された橋梁の構築工法およびその構築構造物を提案しており、既に特許を取得している（下記特許文献１参照）。
【先行技術文献】
【特許文献】
【０００４】
【特許文献１】特許第４８６３２６８号公報
【発明の概要】
【発明が解決しようとする課題】
【０００５】
しかしながら、非常に長いスパンの補強土一体橋梁の場合は、水平力等が大きくなるので、地震時に破壊しやすい厳しい状態となる。また、２０ｍ程度のスパン長であれば補強土一体橋梁により安定的な構造物が構築されることが既に実施工も踏まえて実証されている。しかし、４０ｍ以上の長大スパンの橋梁構築の際、複数の補強土一体橋梁を合わせると基礎や橋台部が増加し、経済的にデメリットが大きくなり、また接続部構造の問題が大きい。
【０００６】
本発明は、上記状況に鑑みて、複数の一体橋梁を一つの橋台で受け持つ構造とし、一体型橋梁である利点を有するとともに、橋台が増える不利な点を克服した連続補強土一体橋梁を提供することを目的とする。
【課題を解決するための手段】
【０００７】
本発明は、上記目的を達成するために、
〔１〕連続補強土一体橋梁であって、支持地盤上に配置される複数の橋台と橋桁を一体化した一体橋梁と、この一体橋梁の背面に配置される補強材と、隣接する前記一体橋梁間の中央部に配置される土もしくはセメント改良土からなるアプローチブロックと、両端の前記一体橋梁の背面に前記補強材を介して構築される補強盛土とを具備することを特徴とする。
【０００８】
〔２〕上記〔１〕記載の連続補強土一体橋梁において、前記複数の橋台と橋桁を一体化した一体橋梁を２個配置することを特徴とする。
〔３〕上記〔１〕記載の連続補強土一体橋梁において、前記複数の橋台と橋桁を一体化した一体橋梁を４個配置することを特徴とする。
〔４〕上記〔１〕記載の連続補強土一体橋梁において、前記アプローチブロックを両側の前記一体橋梁で共用することを特徴とする。
【０００９】
〔５〕上記〔１〕記載の連続補強土一体橋梁において、前記アプローチブロックが桁の伸縮に対応することを特徴とする。
〔６〕上記〔５〕記載の連続補強土一体橋梁において、前記アプローチブロックの桁の伸縮が普通の場合には前記補強材としての土のうを１つ配列することを特徴とする。
〔７〕上記〔５〕記載の連続補強土一体橋梁において、前記アプローチブロックの桁の伸縮が大きい場合には前記補強材としての土のうを２つ以上配列することを特徴とする。
【００１０】
〔８〕上記〔１〕記載の連続補強土一体橋梁において、前記一体橋梁の背面同士の締結を行うことを特徴とする。
【発明の効果】
【００１１】
本発明によれば、長いスパンの補強土一体橋梁が構築できる。つまり、補強土一体橋梁の特徴をそのまま利用しながら、様々な大きさの橋梁の構築が可能となる。また、長大スパンとなることによる桁の温度変化や水平力の増大を分割することにより低減すると同時に、複数個の補強土一体橋梁を構築することによる不経済性や接続部の課題を克服することができる。
【図面の簡単な説明】
【００１２】
【図１】本発明の第１実施例を示す連続補強土一体橋梁の断面を示す模式図である。
【図２】本発明の第２実施例を示す連続補強土一体橋梁の断面を示す模式図である。
【図３】本発明の第３実施例を示す補強材としての土のうを２つ以上配列する例を示す図である。
【図４】従来の桁式橋梁を示す模式図である。
【図５】従来の補強土一体橋梁を示す模式図である。
【発明を実施するための形態】
【００１３】
本発明の連続補強土一体橋梁は、支持地盤上に配置される複数の橋台と橋桁を一体化した一体橋梁と、この一体橋梁の背面に配置される補強材と、隣接する前記一体橋梁間の中央部に配置される土もしくはセメント改良土からなるアプローチブロックと、両端の前記一体橋梁の背面に前記補強材を介して構築される補強盛土とを具備する。
【実施例】
【００１４】
以下、本発明の実施の形態について詳細に説明する。
図１は本発明の第１実施例を示す連続補強土一体橋梁の断面を示す模式図である。この実施例では、２個の一体橋梁を合わせて連続補強土一体橋梁を構築する例について説明する。
この図において、１は支持地盤、２は橋台と橋桁を一体化させた一体橋梁、３は一体橋梁２の背面に配置される補強材、４は隣接する一体橋梁２の中央部に配置される土もしくはセメント改良土からなるアプローチブロック、５は両側の補強材３の背面に構築される補強盛土である。
【００１５】
このように、中間部に２つの一体橋梁２の端部を合わせて受け持つ橋台構造としてのアプローチブロック４を有することで、隣接する一体橋梁２間でアプローチブロック４を共用し、一体橋梁２の背面同士の締結が容易になると同時に、このアプローチブロック４により桁の伸縮にも対応することができる。つまり、長大スパンとなることによる桁の温度変化や水平力の増大を分割し、低減すると同時に、複数個の補強土一体橋梁を構築することによる不経済性や接続部の課題を克服するようにしている。
【００１６】
図２は本発明の第２実施例を示す連続補強土一体橋梁の断面を示す模式図である。この実施例では、多数個、ここでは４個の一体橋梁を合わせて連続補強土一体橋梁を構築するようにしている。
この図において、１１は支持地盤、１２は橋台と橋桁を一体化させた一体橋梁、１３は一体橋梁１２の背面に配置される補強材、１４は隣接する一体橋梁２の中央部に配置される土もしくはセメント改良土からなるアプローチブロック、１５は両側の補強材１３の背面に構築される補強盛土である。
【００１７】
上記したように、中間部に多くの一体橋梁２の端部を合わせて受け持つ橋台構造としてのアプローチブロック４を有することで、隣接する一体橋梁２間でアプローチブロック４を共用し、一体橋梁２の背面同士の締結が容易になると同時に、このアプローチブロック４により桁の伸縮にも対応することができる。つまり、長大スパンとなることによる桁の温度変化や水平力の増大を分割することにより低減すると同時に、複数個の補強土一体橋梁を構築することによる不経済性や接続部の課題を克服するようにしている。
【００１８】
図３は本発明の第３実施例を示す補強材としての土のうを２つ以上配列する例を示す図である。
上記した図１又は図２においては、アプローチブロックの桁の伸縮が普通の場合であり、その場合には補強材としての土のうを１つ配列するようにしているが、アプローチブロックの桁の伸縮が大きい場合には、図３に示すように、一体橋梁２１の間の補強材としての土のう２２，２３を２つ以上配列することができる。
【００１９】
なお、本発明は上記実施例に限定されるものではなく、本発明の趣旨に基づき種々の変形が可能であり、これらを本発明の範囲から排除するものではない。
【産業上の利用可能性】
【００２０】
本発明の連続補強土一体橋梁は、安定的な長いスパンの補強土一体橋梁の構築に利用することができる。
【符号の説明】
【００２１】
１，１１    支持地盤
２，１２，２１    一体橋梁
３，１３    補強材
４，１４    アプローチブロック
５，１５    補強盛土
２２，２３    土のう
【図１】
2014020168.tif 000003
【図２】
2014020168.tif 000004
【図３】
2014020168.tif 000005
【図４】
2014020168.tif 000006
【図５】
2014020168.tif 000007